(57)【特許請求の範囲】
【請求項１】
発電機の端子電圧および電流を検出し、この検出信号をディジタル変換して演算処理装置に入力し、演算処理装置で入力した信号を処理して遮断指令を送出するガスタービン発電機のシェアピン保護装置において、
前記演算処理装置は、入力される２相の電圧値、入力される２相の電流値および発電機の定数から電気的出力トルクを算出する電気的出力トルク演算部と、このトルク演算部で算出されたトルクと事故直前の電気的出力トルクおよび発電機の定数から軸ねじりトルクを算出し、原動機、発電機からなる二元連立微分方程式を一元に縮約した微分方程式を解くための一つの積分演算部のみにより構成する軸ねじりトルク演算部と、この軸ねじりトルク演算部で算出された軸ねじりトルク値が供給される検出部と、この検出部に入力された軸ねじりトルク値が一定値以上になったときに遮断指令を系統連系遮断器へ与えて、発電機を系統から解列する手段とを備え、
前記発電機を系統から解列する手段によってシェアピンの破断を保護することを特徴とするガスタービン発電機のシェアピン保護装置。
【請求項２】
前記演算処理装置は、マイクロプロセッサから構成したことを特徴とする請求項１記載のガスタービン発電機のシェアピン保護装置。
【発明の詳細な説明】
【０００１】
【発明の属する技術分野】
この発明は、ガスタービン発電機のシェアピン保護装置に関する。
【０００２】
【従来の技術】
ガスタービンを原動機とする発電機では、過負荷から原動機を保護するために減速機と発電機との間にシェアピンが設けられている。図４はガスタービンを原動機とする発電機を使用した系統の構成図で、図４において４１はガスタービン、４２は発電機で、ガスタービン４１と発電機４２との間には減速機４３が設けられ、減速機４３と発電機４２との間にはシェアピン４４が設けられている。このシェアピン４４は、原動機に過負荷がかかった場合に、原動機が破損しないための保護装置であり、このシェアピン４４にかかるトルクが、一定の値に達すると破断するように設計されている。
【０００３】
この臨界値は通常、発電機定格トルクの数倍である。発電機４２が連系されている電力系統４５で事故があり、発電機４２の電気的出力トルクが急激に変化すると発電機軸にねじりトルクが発生する。この軸ねじりトルクが、発電機定格トルクの数倍に達し、このため、シェアピンが破断することがある。シェアピン４４が破断すると、これを修復するには長時間がかかり、その間発電機の運転は不能となる。このため、適切なシェアピン保護機能、すなわち軸ねじりトルクが原動機を破損させるには至らないが、シェアピンが破断するような大きさであった場合にシェアピンを破断から保護する機能が必要となる。
【０００４】
次に、文献等に開示された従来技術について述べる。
従来技術−１
発電機の端子電圧と電流を変圧器と変流器から得て、この電圧と電流をヒューズ動作指令検出装置に入力し、ここで、発電機の電気的出力トルクを求める。この求められたトルクが所定値以上になったときにシェアピンの破断を保護する必要がある。このため、発電機を系統から高速に解列させるためにヒューズ遮断器を遮断させるようにしている技術がある。（参考資料：論文「系統側の電気的外乱によるガスタービン発電機のシェアピン保護』Ｈ５電気学会Ｂ部門大会Ｎｏ．３５７」）
従来技術−２
発電機４２の端子電圧と電流を変圧器ＰＴと変流器ＣＴから得て、この電圧と電流をマイクロプロセッサ４６に入力し、ここで、発電機４２の電気的出力トルクと事故直前に算出された電気的出力トルクとの差が所定値以上になったときに、シェアピンを破断から保護する必要がある。このため、発電機４２を系統４５から高速に解列させるために系統連系遮断器４７を遮断させるようにしている技術がある。（特願平７−２７１４０１号公報）
【０００５】
【発明が解決しようとする課題】
上述した従来技術には次のような問題点がある。
従来技術−１の問題点
（１）シェアピンにかかるトルクは、軸ねじりトルクであるにもかかわらず、電気的出力トルクの検出値でシェアピン破断を予測しているため、正確な予測ができず誤動作／誤不動作が起き易い。
（２）電気的出力トルクの算出過程で極めて複雑な計算を行うため、演算部が複雑となる。
【０００６】
従来技術−２の問題点
（１）シェアピンにかかるトルクは、軸ねじりトルクであるが、電気的出力トルクと事故直前に算出された電気的出力トルクとの差の検出値でシェアピン破断を予測しているため正確な予測ができず誤動作／誤不動作が起き易い。
（２）電気的出力トルクの算出過程で事故点を発電機端子近傍と仮定しているため、常に電気的出力トルクを実際より大きめに見積もる傾向があり、誤動作が起き易い。
（３）電気的出力トルクの算出過程で短絡や地絡事故を判別する事故様相判別部を必要とするため演算部が複雑となる。
【０００７】
この発明は上記の事情に鑑みてなされたもので、シェアピンにかかるトルクを演算し、これによりシェアピンの破断を予測することにより、誤動作／誤不動作の少ないガスタービン発電機のシェアピン保護装置を提供することを課題とする。
【０００８】
【課題を解決するための手段】
この発明は、上記の課題を達成するために、第１発明は、発電機の端子電圧および電流を検出し、この検出信号をディジタル変換して演算処理装置に入力し、演算処理装置で入力した信号を処理して遮断指令を送出するガスタービン発電機のシェアピン保護装置において、
前記演算処理装置は、入力される２相の電圧値、入力される２相の電流値および発電機の定数から電気的出力トルクを算出する電気的出力トルク演算部と、このトルク演算部で算出されたトルクと事故直前の電気的出力トルクおよび発電機の定数から軸ねじりトルクを算出し、原動機、発電機からなる二元連立微分方程式を一元に縮約した微分方程式を解くための一つの積分演算部のみにより構成する軸ねじりトルク演算部と、この軸ねじりトルク演算部で算出された軸ねじりトルク値が供給される検出部と、この検出部に入力された軸ねじりトルク値が一定値以上になったときに遮断指令を系統連系遮断器へ与えて、発電機を系統から解列する手段とを備え、
前記発電機を系統から解列する手段によってシェアピンの破断を保護することを特徴とするものである。
【０００９】
第２発明は、演算処理装置は、マイクロプロセッサから構成したことを特徴とするものである。
【００１１】
【発明の実施の形態】
以下この発明の実施の形態を図面に基づいて説明する。まず、この発明の実施の形態を述べる前に、図２により、２つの質量で表現したガスタービン発電機ロータについて述べる。図２において、ガスタービン発電機のロータは、バネで接続された複数の質量と考えることができるので、ニュートンの法則により次式（１）、（２）が成り立つ。
【００１２】
【数１】
0003899687.tif 000002
【００１３】
（１）式、（２）式において、Ｊ1，Ｊ2は回転体の質量、Ｔ1，Ｔ2は回転体へ与えられるトルク、Ｔ12は軸トルク、δ1、δ2は機械的位相角である。
【００１４】
外から与えられるトルクは次の（３）式、（４）式になる。
Ｔ1＝Ｔm              ……（３）
Ｔ2＝−Ｔe            ……（４）
ここで、Ｔmは機械的入力トルク、Ｔeは電気的出力トルクである。
【００１５】
また、軸トルクＴ12は次の（５）式で表される。
Ｔ12＝Ｋ12（δ2−δ1）    ……（５）
ただし、Ｋ12はばね定数である。
【００１６】
上記（１）式から（５）式は、次式（６ａ），（６ｂ）式のようにまとめることができる。
【００１７】
【数２】
0003899687.tif 000003
【００１８】
なお、電気的出力トルクは次式（７）式で表すことができる。
Te(t)=va(t)ia(t)+vb(t)ib+vc(t)ic(t)    ……（７）
ただし、
va，vb，vc：発電機端子電圧
ia、ib、ic：発電機端子電流
事故発生から数サイクル以内では、ガバナなどの影響は無視できるので、機械的入力トルクは一定であり、その値は、事故直前の値に等しいと考えることができる。また、事故発生前は定常状態であるので、機械的入力トルクと電気的出力トルクの値は等しい。よって、事故直前の電気的出力トルクをもって事故後の機械的入力トルクを近似することができる。
【００１９】
Ｔm＝Ｔm0＝Ｔe0        ……（８）
ただし、
Ｔm0：事故直前の機械的入力トルク
Ｔe0：事故直前の電気的出力トルク
なお、図３は、電気的出力トルクと軸ねじりトルクの特性図である。
【００２０】
ここで、この発明の実施の第１形態を図１により説明するに、図４と同一部分は同一符号を付して述べる。図１において、発電機４２の端子電圧および電流は変圧器ＰＴおよび変流器ＣＴで検出してアナログ・ディジタル変換器Ａ／Ｄに入力され、ディジタル信号に変換される。このディジタル信号は、電気的出力トルク演算部１１に供給され、この演算部１１で前記（７）式によって電気的出力トルクを算出する。
【００２１】
（７）式は近似式であり、ここでは発電機の回転速度が事故前と変わらず一定であると仮定しているが、一般に発電機の電気的出力トルクの最大値は事故発生から数サイクル以内で発生し、シェアピンの破断の予測には、この最大値が対象となるので、発電機の回転速度の変化は無視することができる。また、（７）式では、電機子の抵抗による損失を考慮していないが、電機子の抵抗は小さいので、これを無視しても差し支えない。
【００２２】
電気的出力トルク演算部１１により演算によって算出されたトルクと、事故直前に算出された電気的出力トルク（（８）式参照）および発電機の定数は、軸ねじりトルク演算部１２に供給され、この演算部１２で前記（５）式、（６ａ）および（６ｂ）式によって軸ねじりトルクが算出される。算出された軸ねじりトルクは、検出部１３に供給され、供給されたトルクの値が一定値以上のときに、遮断指令を系統連系遮断器４７に送出する。なお、上記（５）式、（６ａ）および（６ｂ）式は近似式であり、ここでは、摩擦など発電機機械系の損失は無視している。上記の理由で軸トルクの最大値は、事故発生から数サイクル以内で発生し、シェアピンの破断の予測には、この最大値が対象となるので、発電機機械系の損失は無視することができる。
【００２３】
上記図１に示すように構成することにより、発電機４２の軸ねじりトルクが発電機４２の定格出力に対するトルクの数倍になるような電気的外乱、すなわち系統事故が発生すると、発電機４２の三相分の端子電圧、電流から演算部１１で演算して、系統事故時の発電機４２の電気的出力トルクを求める。求められたこの値と、あらかじめ求められていた事故直前のトルクとを演算部１２で演算して軸ねじりトルクを求める。このようにして求めたトルク検出値を検出部１３に入力して、その検出値が一定値以上になったときに遮断指令を系統連系遮断器４７へ与えて、発電機４２を系統から解列し、シェアピン４４を破断から保護する。
【００２４】
次に、この発明の実施の第２形態について述べる。図１、図２において、発電機４２が接地されていない場合、あるいは高抵抗で接地されている場合には、前記（７）式を次式（９）式のように簡略化することができる。発電機４２の中性点が接地されていないか、高抵抗で接地されている場合には、次式（９）式が成り立つ。
【００２５】
0003899687.tif 000004
この（１０）式を（７）式に代入すると、次式（１１）式が得られる。
0003899687.tif 000005
電気的出力トルク演算部１１で（７）式の替わりに、上記（１１）式を用いることにより、３台の変圧器ＰＴ，変流器ＣＴを、それぞれ２台に削減することができるようになる。
【００２６】
次に、この発明の実施の第３形態について述べる。前記（６ａ）式、（６ｂ）式の二元連立微分方程式を、ひとつの微分方程式に縮約することができる。すなわち、（６ａ）式／Ｊ1−（６ｂ）式／Ｊ2より次式（１２）式が得られる。
【００２７】
【数３】
0003899687.tif 000006
【００２８】
この微分方程式は容易に解くことができ、軸ねじりトルク演算部１２は一つの積分演算部で構成することができるようになる。
【００２９】
【発明の効果】
以上述べたように、この発明によれば、シェアピンにかかる軸トルクを演算し、これによりシェアピンの破断を予測するため、保護装置の誤動作／誤不動作がなくなる。
【図面の簡単な説明】
【図１】この発明の実施の形態を示す構成説明図。
【図２】実施の形態の補足説明用のガスタービン発電機ロータを示す原理説明図。
【図３】実施の形態の補足説明用の電気的出力トルクと軸ねじりトルクの特性図。
【図４】従来例を示す構成説明図。
【符号の説明】
１１…電気的出力トルク演算部
１２…軸ねじりトルク演算部
１３…検出部
４１…ガスタービン
４２…発電機
４３…減速機
４４…シェアピン
４５…電力系統
４６…マイクロプロセッサ
４７…系統連系遮断器
ＰＴ…変圧器
ＣＴ…変流器
Ａ／Ｄ…アナログ・ディジタル変換器
【図１】
0003899687.tif 000007
【図２】
0003899687.tif 000008
【図３】
0003899687.tif 000009
【図４】
0003899687.tif 000010